(57)【特許請求の範囲】
【請求項１】
沿岸に沿った海域に浄化水域を形成するための仕切り構造であって、
前記浄化水域を沖側から仕切るように設けられるとともに、前記浄化水域の満潮時の水位と略同一の高さに形成されて下端部が前記浄化水域の海底に接触し、かつ、潮の干満によって沖及び岸方向に移動可能な仕切り材と、
該仕切り材の上端部に設けられて海面上に浮かぶ浮き体と、
前記仕切り材の下端部に設けられて、前記仕切り材の下端部が前記海底に接触した状態を保つとともに、潮の干満によって海底上を沖及び岸方向に移動する錘体とを備え、
前記海底は、表面が一定勾配の傾斜面に形成される砂層を有し、該砂層の表面上を前記錘体が沖及び岸方向に移動可能に構成され、
前記海底に、前記錘体の移動範囲を囲むように提体を設け、該提体によって囲まれる部分に前記砂層を設けたことを特徴とする仕切り構造。
【請求項２】
沿岸に沿った海域に浄化水域を形成するための仕切り構造であって、
前記浄化水域を沖側から仕切るように設けられるとともに、前記浄化水域の満潮時の水位と略同一の高さに形成されて下端部が前記浄化水域の海底に接触し、かつ、潮の干満によって沖及び岸方向に移動可能な仕切り材と、
該仕切り材の上端部に設けられて海面上に浮かぶ浮き体と、
前記仕切り材の下端部に設けられて、前記仕切り材の下端部が前記海底に接触した状態を保つとともに、潮の干満によって海底上を沖及び岸方向に移動する錘体とを備え、
前記沿岸に、一対の止水構造体を岸から沖に向かって延出するように、かつ互いに平行をなすように立設し、該一対の止水構造体間に前記仕切り材を沖及び岸方向に移動可能に設けたことを特徴とする仕切り構造。
【請求項３】
前記海底は、表面が一定勾配の傾斜面に形成される砂層を有し、該砂層の表面上を前記錘体が沖及び岸方向に移動可能に構成されていることを特徴とする請求項２に記載の仕切り構造。
【請求項４】
前記海底に、前記錘体の移動範囲を囲むように提体を設け、該提体によって囲まれる部分に前記砂層を設けたことを特徴とする請求項３に記載の仕切り構造。
【請求項５】
前記仕切り材は、不透水性を有する膜材又は板材からなることを特徴とする請求項１〜４の何れか１項に記載の仕切り構造。
【請求項６】
前記一対の止水構造体と前記仕切り材との間には、前記仕切り材を沖及び岸方向に移動可能に支持する案内手段が設けられていることを特徴とする請求項２〜５の何れか１項に記載の仕切り構造。
【請求項７】
前記一対の止水構造体と前記仕切り材との間には、それらの間をシールするシール手段が設けられていることを特徴とする請求項６に記載の仕切り構造。
【発明の詳細な説明】
【技術分野】
【０００１】
本発明は、仕切り構造に関し、特に、沿岸の海域に形成される浄化水域を沖側から仕切るための仕切り構造に関する。
【背景技術】
【０００２】
海岸、河川、湖等の水域に設けられる汚泥等の流出入を防止する仕切り構造の一例として、水域の仕切りたい位置に汚泥防止膜を設け、この汚泥防止膜を水底に設置したアンカーにワイヤーを介して連結し、汚泥防止膜の内外での汚泥等の流出入を防止するように構成した仕切り構造が知られている。
【０００３】
また、仕切り構造の他の例として、特許文献１には、膜体と、膜体の上縁部に連結されて膜体に浮力を与える浮体と、膜体の下縁部を水底に固定するアンカーと、膜体の上縁部を水底に向かって引っ張る係留体とを備え、膜体の内外での汚泥等の流出入を防止するように構成した仕切り構造が提案されている。
【特許文献１】特開２００４−２０４６０９号公報
【発明の開示】
【発明が解決しようとする課題】
【０００４】
ところで、上記のような構成の仕切り構造を例えば海岸の浄化水域に適用した場合に、満潮時に水位が上昇すると、水位が上昇した分の海水が汚泥防止膜（膜体）と海底との間の隙間等を介して外側（沖側）から浄化水域内に流入することになるため、汚泥防止膜（膜体）の外側から流入する海水によって浄化効果が低減してしまう。また、浄化水域内で工事を行う場合に、工事によって生じた濁水が汚泥防止膜（膜体）と海底との間の隙間等を介して浄化水域内から外側に流出し、汚濁防止効果が低減してしまう。
【０００５】
本発明は、上記のような従来の問題に鑑みなされたものであって、潮の干満に影響されることなく、浄化水域を沖側から仕切り続けることができて、浄化水域内から沖側への浄化水の流出、沖側から浄化水域内への海水の流入を阻止できる仕切り構造を提供することを目的とする。
【課題を解決するための手段】
【０００６】
本発明は、上記のような課題を解決するために、以下のような手段を採用している。
すなわち、本発明は、沿岸に沿った海域に浄化水域を形成するための仕切り構造であって、前記浄化水域を沖側から仕切るように設けられるとともに、前記浄化水域の満潮時の水位と略同一の高さに形成されて下端部が前記浄化水域の海底に接触し、かつ、潮の干満によって沖及び岸方向に移動可能な仕切り材と、該仕切り材の上端部に設けられて海面上に浮かぶ浮き体と、前記仕切り材の下端部に設けられて、前記仕切り材の下端部が前記海底に接触した状態を保つとともに、潮の干満によって海底上を沖及び岸方向に移動する錘体とを備え、前記海底は、表面が一定勾配の傾斜面に形成される砂層を有し、該砂層の表面上を前記錘体が沖及び岸方向に移動可能に構成され、前記海底に、前記錘体の移動範囲を囲むように提体を設け、該提体によって囲まれる部分に前記砂層を設けたことを特徴とする。
【０００７】
本発明の仕切り構造によれば、仕切り材は、満潮時の浄化水域の水位と略同一の高さに形成されるとともに、上端部に設けられた浮き体によって支持され、さらに下端部を海底に接触した状態に保つ錘体が潮の干満によって海底上を移動可能に構成されているので、潮の干満に追従して仕切り材が沖及び岸方向に移動し、仕切り材によって浄化水域を沖側から仕切り続けることができ、潮の干満に影響されることなく、浄化水域内から沖側への浄化水の流出、沖側から浄化水域内への海水の流入を防止できる。
また、錘体は、海底の砂層の一定勾配の傾斜面からなる表面上を沖及び岸方向に移動することになるので、海底の表面形状によって錘体の移動が影響されることはなく、潮の干満に追従して仕切り材を沖及び岸方向に円滑に移動させることができる。
さらに、浄化水域の海底に不陸が存在する場合に、提体によって囲まれた部分に砂層を形成し、この砂層の表面上を錘体が移動するように構成しているので、海底の状態に影響されることなく、潮の干満に追従して仕切り材を沖及び岸方向に円滑に移動させることが可能となる。
【０００８】
さらに、本発明は、沿岸に沿った海域に浄化水域を形成するための仕切り構造であって、前記浄化水域を沖側から仕切るように設けられるとともに、前記浄化水域の満潮時の水位と略同一の高さに形成されて下端部が前記浄化水域の海底に接触し、かつ、潮の干満によって沖及び岸方向に移動可能な仕切り材と、該仕切り材の上端部に設けられて海面上に浮かぶ浮き体と、前記仕切り材の下端部に設けられて、前記仕切り材の下端部が前記海底に接触した状態を保つとともに、潮の干満によって海底上を沖及び岸方向に移動する錘体とを備え、前記沿岸に、一対の止水構造体を岸から沖に向かって延出するように、かつ互いに平行をなすように立設し、該一対の止水構造体間に前記仕切り材を沖及び岸方向に移動可能に設けたことを特徴とする。
【０００９】
本発明の仕切り構造によれば、一対の止水構造体と、一対の止水構造体間に設けられる仕切り材とによって囲まれる部分に浄化水域が形成されることになるので、沿岸の状態に影響されることなく、所望の浄化水域を形成することができる。
【００１０】
また、本発明において、前記仕切り材は、不透水性を有する膜材又は板材からなることとしてもよい。
【００１１】
本発明の仕切り構造によれば、不透水性を有する膜材又は板材からなる仕切り材によって浄化水域が沖側から仕切られ、仕切り材を介して浄化水域内から浄化水が沖側に流出し、沖側から浄化水域内に海水が流入するのが阻止される。
【００１２】
さらに、本発明において、前記一対の止水構造体と前記仕切り材との間には、前記仕切り材を沖及び岸方向に移動可能に支持する案内手段が設けられていることとしてもよい。
【００１３】
本発明の仕切り構造によれば、一対の止水構造体間に設けられている仕切り材は、案内手段によって沖および岸方向に移動可能に支持されているので、潮の干満に追従して
沖及び岸方向に円滑に移動することが可能となる。
【００１４】
さらに、本発明において、前記一対の止水構造体と前記仕切り材との間には、それらの間をシールするシール手段が設けられていることとしてもよい。
【００１５】
本発明の仕切り構造によれば、一対の止水構造体と仕切り材との間はシール手段によってシールされているので、仕切り材と一対の止水構造体との間を介して浄化水域内から沖側に浄化水が流出し、沖側から浄化水域内に海水が流入するのが防止されることになる。
【発明の効果】
【００２０】
以上、説明したように、本発明によれば、仕切り材を、満潮時の浄化水域の水位と略同一の高さに形成するとともに、上端部に設けられた浮き体によって支持し、さらに、下端部を海底に接触した状態に保つ錘体を潮の干満によって海底上を移動させるように構成したので、潮の干満に追従して仕切り材を沖及び岸方向に移動させて、仕切り材によって浄化水域を沖側から仕切り続けることができる。従って、潮の干満に影響されることなく、浄化水域内から沖側への浄化水の流出、沖側から浄化水域内への海水の流入を防止できる。
【００２１】
また、仕切り材は、不透水性を有する膜材又は板材から形成されているので、仕切り材を透過して浄化水域内から浄化水が沖側に流出し、沖側から浄化水域内に海水が流入するのが阻止される。
【００２２】
さらに、錘体は、海底の砂層の一定勾配の傾斜面からなる表面上を沖及び岸方向に移動することになるので、海底の表面形状によって錘体の移動が影響されることはなく、潮の干満に追従して仕切り材を沖及び岸方向に円滑に移動させることができ、潮の干満に影響されることなく、浄化水域内から沖側への浄化水の流出、沖側から浄化水域内への海水の流入を防止できる。
【００２３】
さらに、浄化水域の海底に不陸が存在する場合に、提体によって囲まれた部分に砂層を形成し、この砂層の表面上を錘体を移動させるように構成しているので、浄化水域の海底の状態に影響されることなく、潮の干満に追従して仕切り材を沖及び岸方向に移動させることができ、潮の干満に影響されることなく、浄化水域内から沖側への浄化水の流出、沖側から浄化水域内への海水の流入を防止できる。
【００２４】
さらに、仕切り材を一対の止水構造体間に設けて、仕切り材と一対の止水構造体とによって囲まれる部分に浄化水域を形成しているので、沿岸の状態に影響されることなく、所望の浄化水域を形成することが可能となる。
【００２５】
さらに、仕切り材を案内手段によって沖及び岸方向に移動可能に支持しているので、潮の干満に追従して仕切り材を沖及び岸方向に円滑に移動させることが可能となる。
さらに、一対の止水構造体と仕切り材との間をシール手段によってシールしているので、仕切り材と一対の止水構造体との間を介して浄化水域内から沖側に浄化水が流出し、沖側から浄化水域内に海水が流入するのを防止できることになる。
【発明を実施するための最良の形態】
【００２６】
以下、図面を参照しながら、本発明の実施の形態について説明する。
図１〜図５には、本発明による仕切り構造の一実施の形態が示されていて、図１は仕切り構造の全体を示す平面図、図２は図１のＡ−Ａ線に沿って見た概略断面図、図３は図２のＢ−Ｂ線に沿って見た概略断面図、図４は図１の仕切り材の下端部の概略図、図５は浄化水域の海底の変形例を示す概略断面図である。なお、図１、図２及び図５は、潮の満潮時と干潮時の状態を示している。
【００２７】
すなわち、本実施の形態の仕切り構造１は、図１〜図３に示すように、沿岸に沿った海域に沖２５側から仕切られた浄化水域２を形成するのに適用したものであって、一対の止水構造体７、７と、一対の止水構造体７、７間に沖２５及び岸２６方向に移動可能に設けられる仕切り材８と、仕切り材８を支持する浮き体９と、仕切り材８に鉛直方向下方（海底方向）への荷重を付与する錘体１９とを備えている。
【００２８】
一対の止水構造体７、７は、コンクリート等からなる壁状の構造物であって、浄化水域２の両側に岸２６から沖２５に向かって延出するように、かつ互いに平行をなすように立設されている。各止水構造体７は、上端が満潮時の浄化水域２の水面よりも上方に突出するように高さが設定され、満潮時に各止水構造体７を越えて沖２５側から浄化水域２内に海水が流入するのを防止している。
【００２９】
各止水構造体７は、少なくとも表面が不透水性を有する止水構造に形成され、各止水構造体７を透過して沖２５側から浄化水域２内へ海水が流入し、又は各止水構造体７を介して浄化水域２内から沖２５側に浄化水が流出するのを防止している。
【００３０】
仕切り材８は、ゴム、樹脂等の不透水性を有する膜材又は板材（本実施の形態では膜材）から形成される帯状をなすものであって、一対の止水構造体７、７間に岸２６に沿うように、かつ、鉛直方向を向くように設けられ、この仕切り材８と一対の止水構造体７、７とによって囲まれる部分に浄化水域２が形成されている。
【００３１】
仕切り材８は、高さ（縦）寸法が満潮時の浄化水域２の水深と略同一長さに、幅（横）寸法が浄化水域２の全幅に亘る長さ（一対の止水構造体７、７間の長さ）に形成され、これにより、満潮時の浄化水域２が全高及び全幅に亘って沖２５側から仕切られるようになっている。
【００３２】
なお、仕切り材８は、図示はしないが、四方枠組みした枠体にその開口部を閉塞するように張り付け、枠体によって補強するように構成してもよい。
【００３３】
浮き体９は、仕切り材８の上端部に所定の間隔ごとに設けられる複数の円柱状の浮き１０と、隣接する浮き１０、１０間を連結するロープ１１と、ロープ１１の周囲に被嵌される筒状のカバー１２とから構成され、この浮き体９によって仕切り材８の上端が浄化水域２の水面上に浮いた状態に保たれている。
【００３４】
仕切り材８の幅方向の両端にはシール手段１３が設けられ、このシール手段１３によって仕切り材８の幅方向の両端と各止水構造体７の内面（浄化水域２側の面）との間が仕切り材８の全高に亘ってシールされている。
【００３５】
シール手段１３としては、例えば、不透水性を有する材料からなる刷毛１３ａが挙げられ、この刷毛１３ａを先端部が各止水構造体７の内面に接触するように、仕切り材８の幅方向の両端に取り付けることで、仕切り材８の幅方向の両端と各止水構造体７の内面との間がシールされ、それらの間を介して浄化水域２内から沖２５側に浄化水が流出し、沖２５側から浄化水域２内に海水が流入するのが防止される。
【００３６】
仕切り材８の幅方向の両端の上端部と各止水構造体７の上端部との間には案内手段１５が設けられ、この案内手段１５によって仕切り材８が一対の止水構造体７、７間を沖２５及び岸２６方向に移動可能に支持されている。
【００３７】
案内手段１５は、例えば、各止水構造体７の上端部に各止水構造体７の全長に亘って張設されるガイドロープ１６と、ガイドロープ１６に移動可能に取り付けられるリング状の支持部材１７と、支持部材１７と仕切り材８の幅方向の両端の上端部との間を連結する連結ロープ１８とから構成される。案内手段１５の支持部材１７がガイドロープ１６上を移動することにより、仕切り材８が一対の止水構造体７、７間を仕切った状態で沖２５及び岸２６方向に円滑に移動することになる。
【００３８】
支持部材１７と仕切り材８とを連結する連結ロープ１８には伸縮自在のものが使用され、潮の干満による浄化水域２の水位の変動に影響されることなく、仕切り材８の上端を浄化水域２の水面上に常時位置させ、仕切り材８によって浄化水域２を沖２５側から仕切り続けている。
【００３９】
なお、案内手段１５のガイドロープ１６上にストッパー部を設け、このストッパー部に支持部材１７を当接させることにより、仕切り材８の沖２５及び岸２６方向への移動範囲を規制するように構成してもよい。
【００４０】
錘体１９は、仕切り材８の下端部に所定の間隔ごとに設けられる鉛等からなる複数の錘２０を備え、この複数の錘２０によって仕切り材８に鉛直方向下方への荷重が付与され、この荷重によって仕切り材８の下端部が浄化水域２の海底３に押し付けられる。
【００４１】
錘２０は、潮の干満によって仕切り材８が沖２５及び岸２６方向に移動したときに、仕切り材８に追従して浄化水域２の海底３上を滑るように沖２５及び岸２６方向に移動する。これにより、潮の干満に影響されることなく、仕切り材８の下端部を浄化水域２の海底３に押し付けることができる。
【００４２】
仕切り材８の下端部には、図４に示すように、不透水性を有する材料からなる刷毛状のシール部材１４が隣接する錘２０、２０間を閉塞するように設けられる。これにより、仕切り材８の下端と浄化水域２の海底３との間が確実にシールされ、仕切り材８の下端と海底３との間を介して浄化水域２内から沖２５側へ浄化水が流出し、沖２５側から浄化水域２内に海水が流入するのが防止される。
【００４３】
浄化水域２の海底３は、一定勾配の平坦な傾斜面を有するものであれば修正する必要はないが、好ましくは、海底３に所定の厚みの砂層４を設け、この砂層４の表面５を一定勾配の平坦な傾斜面に形成する修正を行う。このような構成の砂層４を海底３に設けることにより、錘体１９の錘２０を円滑に沖２５及び岸２６方向に移動させることができるとともに、仕切り材８の下端と海底３との間を確実にシールすることができる。
【００４４】
なお、浄化水域２の海底３に不陸が存在する場合には、図５に示すように、仕切り材８及び錘体１９の移動範囲を囲むように提体６を設け、この提体６の内側に表面５が一定勾配の平坦な傾斜面からなる所定の厚みの砂層４を設ければよい。
【００４５】
次に、上記のように構成した仕切り構造１の作用について説明する。
まず、図１及び図２に示すように、潮の干満によって沖２５側の水位が変化すると、その水位の変化に追従して仕切り材８が沖２５及び岸２６方向に移動し、浄化水域２の水位が沖２５側の水位と同一となり、浄化水域２の水位と沖側２５側の水位とが平衡状態に保たれる。
【００４６】
つまり、満潮時には、沖２５側の水位の変化（上昇）に追従して仕切り材８が岸２６方向に移動し、沖２５側の水位に浄化水域２の水位が一致した位置に仕切り材８が停止する。この場合、仕切り材８の高さ方向の寸法は、満潮時の浄化水域２の水位と略同一長さに設定されるとともに、仕切り材８の上端は浮き体８によって浄化水域２の水面上に保持され、下端は錘体１９によって海底３に接触した状態に保持されているので、満潮時の浄化水域２を全高に亘って仕切ることができ、浄化水域２内から沖２５側に浄化水が流出し、又は沖２５側から浄化水域２内に海水が流入するようなことはなく、浄化水域２を仕切り続けることができる。
【００４７】
また、干潮時には、沖２５側の水位の変化（低下）に追従して仕切り材８が沖２５方向に移動し、沖２５側の水位に浄化水域２の水位が一致した位置に仕切り材８が停止する。この場合、図中、Ａ１の部分の体積（満潮時に増加した分の体積）がＡ２の部分に移動することになるので、仕切り材８は、上端が下端よりも沖２５側に位置した傾斜状態となるが、仕切り材８の上端は浮き体９によって浄化水域２の水面上に保持され、下端は錘体１９によって海底３に接触した状態に保持されているので、仕切り材８を介して浄化水域２内から沖２５側に浄化水が流出したり、沖側２５から浄化水域２内に海水が流入したりすることはなく、浄化水域２を仕切り続けることができる。
【００４８】
上記のように構成した本実施の形態による仕切り構造１にあっては、潮の干満によって仕切り材８を沖２５及び岸２６方向に移動させるとともに、仕切り材８の上端を浮き体９によって浄化水域２の水面上に保持し、さらに、錘体１９によって仕切り材８の下端を海底３に接触した状態に保持するようにしたので、潮の干満に影響されることなく、浄化水域２を仕切り材８によって仕切り続けることができ、浄化水域２内から沖２５側に浄化水が流出したり、沖２５側から浄化水域２内に海水が流入したりするのを防止できる。
【００４９】
従って、浄化水域２の水質や底質を浄化する場合に、浄化水域２内に沖２５側に海水が流入して浄化効果を低減させるようなことはなく、また、浄化水域２で工事を行っている場合に、浄化水域２で発生した濁水が沖２５側に流出して汚濁防止効果を低減させるようなこともなく、浄化水域２としての機能を長期的に維持することができる。
【００５０】
なお、上記の説明においては、沿岸に一対の止水構造体７、７を設けるとともに、一対の止水構造体７、７間に仕切り材８を移動可能に設けて、一対の止水構造体７、７と仕切り材８とによって囲まれる部分に浄化水域２を形成したが、止水構造体７を設けずに、仕切り材８のみによって浄化水域２を形成するように構成してもよい。その場合には、仕切り材８を沿岸の海域に円弧状に設け、仕切り材８と岸２６との間に浄化水域２を形成すればよい。
【００５１】
また、上記の説明においては、仕切り材８を一対の止水構造体７、７間に設けて、仕切り材８と各止水構造体７との間に設けた案内手段１５によって仕切り材８の移動範囲を規制したが、満潮時の仕切り材８の位置と干潮時の仕切り材８の位置との中間地点の海底３にアンカーを設置し、各アンカーにワイヤーロープを介して仕切り材８の下端部を連結し、ワイヤーロープによって仕切り材８の移動範囲を規制するように構成してもよい。
【００５２】
さらに、上記の説明においては、本発明による仕切り構造１を海の沿岸に浄化水域２を形成する場合に適用したが、水の移動が生じる河川、湖沼等に適用してもよいものであり、その場合にも同様の作用効果を奏する。
【図面の簡単な説明】
【００５３】
【図１】本発明による仕切り構造の一実施の形態を示した概略平面図である。
【図２】図１のＡ−Ａ線に沿って見た概略断面図である。
【図３】図２のＢ−Ｂ線に沿って見た概略断面図である。
【図４】図１の仕切り材の下端部の概略図である。
【図５】図１の海底の変形例を示した概略断面図である。
【符号の説明】
【００５４】
１  仕切り構造
２  浄化水域
３  海底
４  砂層
５  表面
６  提体
７  止水構造体
８  仕切り材
９  浮き体
１０  浮き
１１  ロープ
１２  カバー
１３  シール手段
１３ａ  刷毛
１４  シール部材
１５  案内手段
１６  ガイドロープ
１７  支持部材
１８  連結ロープ
１９  錘体
２０  錘
２５  沖
２６  岸
【図１】
0004941239.tif 000002
【図２】
0004941239.tif 000003
【図３】
0004941239.tif 000004
【図４】
0004941239.tif 000005
【図５】
0004941239.tif 000006